(57)【特許請求の範囲】
【請求項１】
下部に流入口を、上部に流出口をそれぞれ有する球形状弁箱内に、前記流入口を開閉する副弁体と前記流出口を開閉する主弁体とをそれぞれ収納した地下式消火栓であって、前記両弁体を弁箱の内面形状に対応した球面形状に形成するとともに、前記副弁体を、弁箱中央部に設けた水平方向の下部弁軸によって開弁位置と閉弁位置とに回動可能に保持し、前記主弁体を、前記下部弁軸の上方に設けた上部弁軸によって開弁位置と閉弁位置とに回動可能に保持したことを特徴とする地下式消火栓。
【請求項２】
前記弁箱は、下部弁軸を含む副弁体を収納する半球状の下部弁箱と、上部弁軸を含む主弁体を収納する半球状の上部弁箱とを着脱可能に結合して形成されていることを特徴とする請求項１記載の地下式消火栓。
【発明の詳細な説明】
【０００１】
【発明の属する技術分野】
本発明は、水道管路に取付けられる地下式消火栓に関し、詳しくは、主弁と副弁とを一つの弁箱内に収納した地下式消火栓に関する。
【０００２】
【従来の技術及び発明が解決しようとする課題】
地中に埋設された水道管路に取付けられる地下式消火栓は、水道管路から立ち上がった分岐管に副弁を介して装着されている。この副弁は、消火栓本体部分の保守を行う際に閉じられるものであって、通常は開弁状態となっている。
【０００３】
一方、従来の埋設管路は、その土被りが１２００ｍｍに設定されているため、地下式消火栓においても、土被り１２００ｍｍに対応した形状，寸法で製作されてきている。しかし、最近、施工コストの削減を図るために、埋設管路の土被りを６００〜８００ｍｍ程度にすることが計画されている。
【０００４】
ところが、従来の地下式消火栓は、前述のように、消火栓本体と埋設管路との間に副弁が存在し、しかも、管路から立ち上がった分岐管に取付けられるため、管路から相当突出することになり、埋設管路の土被りを薄くする場合は、何らかの対応が必要となる。
【０００５】
そこで本発明は、副弁を含めた消火栓の高さを低くすることができる地下式消火栓を提供することを目的としている。
【０００６】
【課題を解決するための手段】
上記目的を達成するため、本発明の地下式消火栓は、下部に流入口を、上部に流出口をそれぞれ有する球形状弁箱内に、前記流入口を開閉する副弁体と前記流出口を開閉する主弁体とをそれぞれ収納した地下式消火栓であって、前記両弁体を弁箱の内面形状に対応した球面形状に形成するとともに、前記副弁体を、弁箱中央部に設けた水平方向の下部弁軸によって開弁位置と閉弁位置とに回動可能に保持し、前記主弁体を、前記下部弁軸の上方に設けた上部弁軸によって開弁位置と閉弁位置とに回動可能に保持したことを特徴としている。
【０００７】
さらに、本発明の地下式消火栓は、前記弁箱が、下部弁軸を含む副弁体を収納する半球状の下部弁箱と、上部弁軸を含む主弁体を収納する半球状の上部弁箱とを着脱可能に結合して形成されていることを特徴としている。
【０００８】
【発明の実施の形態】
図１乃至図３は、本発明の地下式消火栓の一形態例を示すもので、図１は副弁が開、主弁が閉の通常時の状態を示す断面図、図２は両弁を開いた状態を示す断面図、図３は両弁を閉じた状態を示す断面図である。
【０００９】
本形態例に示す地下式消火栓は、球形状に形成した弁箱１の下部に、水道管路に接続される流入口２を、上部に消火用ホース等が接続される流出口３をそれぞれ設けるとともに、弁箱１内に前記流入口２を開閉する副弁体４と、前記流出口３を開閉する主弁体５とをそれぞれ収納したものである。前記弁箱１は、半球状の下部弁箱６と上部弁箱７とを組立ボルト８により着脱可能にフランジ結合して組立てられたものであって、下部弁箱６の底部外周には、埋設管路の分岐管に接続される取付フランジ９が設けられ、上部弁箱７の頂部には、ホース接続金具１０が設けられている。
【００１０】
また、下部弁箱６の上部には、副弁体４を開弁位置と閉弁位置とに回動させるための下部弁軸１１が軸線を水平方向に向けて設けられており、上部弁箱７の下部には、主弁体５を開弁位置と閉弁位置とに回動させるための上部弁軸１２が前記下部弁軸１１と平行な方向に設けられている。副弁体４及び主弁体５は、いわゆるボール弁と同様の構造を有し、ボール弁における弁体周面の一部を使用した形状に形成されている。すなわち、副弁体４及び主弁体５は、弁箱１の内面形状に対応した球面形状に形成された半球状（椀状）の弁体からなるものであって、弁体の一半部に流入口２や流出口３に対応した開口４ａ，５ａがそれぞれ設けられている。また、主弁体５は、図２や図３に示すように、副弁体４の内部で回動できるように副弁体４に比べて小径に形成されており、両弁体４，５の開閉回動時に、両弁体４，５が干渉しないように形成されている。
【００１１】
なお、下部弁軸１１及び上部弁軸１２は、弁箱１及び各弁体４，５を貫通するようにして設けてもよいが、弁軸が流路を横切らないように、弁箱側面の対向位置に短い弁軸をそれぞれ設けて各弁体を回動可能に支持し、一方の弁軸を弁箱１から突出させるようにすることが好ましい。また、弁箱１から突出した弁軸先端部分には、操作レバーからなる弁開閉手段や、ウォームを介して接続された弁開閉手段が、従来と同様にして設けられている。
【００１２】
図１に示す通常時の状態において、副弁体４は、開口４ａの周縁が流入口２の内周に設けられたシールリング１３に当接して開弁状態となっており、主弁体５は、その球面状部分が流出口３の内周に設けられたシールリング１４に当接して閉弁状態となっている。
【００１３】
消火活動を行う際には、ホース接続金具１０に消火用ホースを接続した後、適宜な弁開閉手段を操作して上部弁軸１２を回動させ、図２に示すように、主弁体５を開弁位置に回動させる。これにより、主弁体５は、開口５ａの周縁が前記シールリング１４に当接した開弁状態となり、流入口２から流入した水が弁箱１内を経て流出口３から消火用ホースに供給される。
【００１４】
また、弁箱１内の清掃や主弁体５の点検等を行う際には、適宜な弁開閉手段を操作して下部弁軸１１を回動させ、図３に示すように、副弁体４を閉弁位置に回動させる。これにより、副弁体４は、その球面状部分が前記シールリング１３に当接した閉弁状態となるので、流入口２から水が流入することがなくなり、組立ボルト８を抜き取ることにより上部弁箱７を下部弁箱６から取外すことができる。
【００１５】
このように、球形に形成した弁箱１内に副弁体４と主弁体５とを収納することにより、底部の都取付フランジ９から頂部のホース接続金具１０までの高さを低くすることができ、埋設管路の土被りが６００〜８００ｍｍ程度になっても十分に対応することができる。
【００１６】
また、弁箱１を下部弁箱６と上部弁箱７との二つ割り構造としたので、組立ボルト８の着脱のみで主弁体５の点検や交換を容易に行うことができる。さらに、下部弁箱６と上部弁箱７との間に適宜な長さの短管を挿入してそれぞれをフランジ結合させることができるので、管路の埋設深さが深い場合でも、ホース接続金具１０の路面からの深さを所定の位置に調節することができる。しかも、埋設管路に消火栓を装着した後でも短管の挿入や抜取りを行えるので、道路工事等によって埋設深さに変化を生じた場合でも容易に対応できる。
【００１７】
加えて、両弁体４，５をボール弁と同様の構造としたため、損失が少なく、多量の消火水量を供給することができ、弁箱１の底部が球面のため、内部に土砂等が堆積することもほとんどなくなる。
【００１８】
【発明の効果】
以上説明したように、本発明によれば、地下式消火栓の全高、特に、管路上面からの突出高さを小さくすることができるので、埋設管路の土被りが６００〜８００ｍｍ程度になっても問題なく使用することができる。
【図面の簡単な説明】
【図１】  通常時の状態を示す地下式消火栓の断面図である。
【図２】  両弁を開いた状態を示す断面図である。
【図３】  両弁を閉じた状態を示す断面図である。
【符号の説明】
１…弁箱、２…流入口、３…流出口、４…副弁体、４ａ…開口、５…主弁体、５ａ…開口、６…下部弁箱、７…上部弁箱、８…組立ボルト、９…取付フランジ、１０…ホース接続金具、１１…下部弁軸、１２…上部弁軸、１３，１４…シールリング
【図１】
0003863654.tif 000002
【図２】
0003863654.tif 000003
【図３】
0003863654.tif 000004